(57)【要約】【課題】ファインダ画面上の焦点検出エリアマークと焦点検出光学系における焦点検出エリアの相対位置を一致させる。【解決手段】光学機器に設けられた取付部２２に、光学機器の光学系からの光束を受光する受光素子１２を備えた焦点検出モジュール１０を位置調整可能に取り付ける。その際、焦点検出モジュール１０を取付部２２に対して光束が焦点検出モジュール１０へ入射する部分の光軸に直交する軸まわりに回動調整する第１調整手段４１〜４５と、光軸と略平行な軸を回転軸として、焦点検出モジュール１０を取付部２２に対して光軸まわりに回動調整する第２調整手段とを取付構造に有する。【選択図】図５
2006126441.tif 000002
【特許請求の範囲】
【請求項１】
光学機器に設けられた取付部に、前記光学機器の光学系からの光束を受光する受光素子を備えた焦点検出モジュールを位置調整可能に取り付ける取付構造であって、
前記焦点検出モジュールを前記取付部に対して前記光束が前記焦点検出モジュールへ入射する部分の光軸に直交する軸まわりに回動調整する第１調整手段と、
前記光軸と略平行な軸を回転軸として、前記焦点検出モジュールを前記取付部に対して前記光軸まわりに回動調整する第２調整手段とを有することを特徴とする焦点検出モジュールの取付構造。
【請求項２】
請求項１に記載の焦点検出モジュールの取付構造において、
前記第２調整手段は、
前記取付部と前記焦点検出モジュールのいずれか一方に対して前記回転軸と平行な軸に沿って回転可能に設けられた偏芯回転部材を有し、
前記偏芯回転部材は、外周面が前記取付部と前記焦点検出モジュールのいずれか他方に当接して設けられることを特徴とする焦点検出モジュールの取付構造。
【請求項３】
請求項１または２に記載の焦点検出モジュールの取付構造において、
前記第１調整手段は、
前記焦点検出モジュールを複数箇所で前記取付部から離間する方向に付勢する付勢手段と、
前記付勢手段による付勢力に抗して前記焦点検出モジュールを前記複数箇所で前記取付部に対して支持する支持手段とを有することを特徴とする焦点検出モジュールの取付構造。
【請求項４】
請求項１〜３のいずれか１項に記載の取付構造により取り付けられた焦点検出モジュールと、
前記光学系による被写界像に焦点検出エリアマークを重畳して表示する表示手段と、
前記第１，第２調整手段による調整後の、前記焦点検出モジュールが焦点調節情報を取得する焦点検出エリアと前記焦点検出エリアマークとの相対位置が一致するように前記表示手段を制御する表示制御手段とを備えることを特徴とする焦点検出モジュールを有する光学機器。
【発明の詳細な説明】
【技術分野】
【０００１】
本発明は、カメラ、双眼鏡、測量機等の光学機器に焦点検出モジュールを取り付ける構造および焦点検出モジュールを有する光学機器に関する。
【背景技術】
【０００２】
一眼レフカメラに内蔵される焦点検出モジュールの取付構造として、ミラーボックスの下部にミラーボックスに対し揺動可能に焦点検出モジュールを取り付け、焦点検出モジュールに入射する光線の入射角度を調整するようにしたものが知られている（例えば特許文献１参照）。これによれば焦点検出モジュールの一方をミラーボックスに圧接させて取り付けるとともに、ボルトのねじ込みにより焦点検出モジュールの他方とミラーボックスとの間隔を調節して焦点検出モジュールを揺動させる。
【０００３】
【特許文献１】特開２０００−１９３８２号公報
【発明の開示】
【発明が解決しようとする課題】
【０００４】
しかしながら、上記公報記載の取付構造は、焦点検出モジュールをミラーボックスに対して揺動可能に取り付けたものであり、焦点検出モジュールに入射する光束の光軸回りの位置調整はできなかった。そのため、例えば一眼レフカメラにおいて焦点検出エリアマークをファインダ画面にスーパーインポーズ表示する際に、ファインダ画面上の焦点検出エリアマークに対する焦点検出エリアの位置がずれるおそれがあった。
【課題を解決するための手段】
【０００５】
本発明による焦点検出モジュールの取付構造は、光学機器に設けられた取付部に、光学機器の光学系からの光束を受光する受光素子を備えた焦点検出モジュールを位置調整可能に取り付ける取付構造であって、焦点検出モジュールを取付部に対して光束が焦点検出モジュールへ入射する部分の光軸に直交する軸まわりに回動調整する第１調整手段と、光軸と略平行な軸を回転軸として、焦点検出モジュールを取付部に対して光軸まわりに回動調整する第２調整手段とを有することを特徴とする。
第２調整手段として、取付部と焦点検出モジュールのいずれか一方に対して回転軸と平行な軸に沿って回転可能に偏芯回転部材を設け、偏芯回転部材の外周面を取付部と焦点検出モジュールのいずれか他方に当接して設けるようにしてもよい。
第１調整手段として、焦点検出モジュールを複数箇所で取付部から離間する方向に付勢する付勢手段と、この付勢力に抗して焦点検出モジュールを複数箇所で取付部に対して支持する支持手段とを設けるようにしてもよい。
上述した取付構造により取り付けられた焦点検出モジュールと、光学系による被写界像に焦点検出エリアマークを重畳して表示する表示手段と、第１，第２調整手段による調整後の、焦点検出モジュールが焦点調節情報を取得する焦点検出エリアと焦点検出エリアマークとの相対位置が一致するように表示手段を制御する表示制御手段とを光学機器に備えることが好ましい。
【発明の効果】
【０００６】
本発明によれば、焦点検出モジュールに入射する光軸と略平行な軸を回転軸として、焦点検出モジュールを取付部に対し回動調整するようにしたので、ファインダ画面上の焦点検出エリアマークに対する実際の焦点検出エリアの位置ずれを修正することができる。
【発明を実施するための最良の形態】
【０００７】
−第１の実施の形態−
以下、図１〜図９を参照して本発明による焦点検出モジュールの取付構造の第１の実施の形態について説明する。
図１は、本発明が適用される一眼レフカメラの概略構成を示す断面図である。被写体からの光束は、レンズ鏡筒ＬＢ内の撮影レンズＬＥを透過してカメラボディＣＢ内に導かれる。カメラボディＣＢに導かれた光束の一部は、半透過性のメインミラー５１を透過し、サブミラー５２にて下方に反射された後、焦点検出モジュール１０へ入射される。一方、メインミラー５１で上方に反射され、焦点板５３で結像した光束は、液晶パネル５０を透過した後、ペンタプリズム５４を介して接眼レンズ５５にて観察される。接眼レンズ５５にて観察されるファインダ画面には、焦点検出エリアを表す指標として焦点検出エリアマークが被写体像と重ね合わせてスーパーインポーズ表示される。このカメラは、焦点検出モジュール１０を用いて、公知の位相差方式の焦点検出を行う。
【０００８】
ＣＰＵ５６は、焦点検出モジュール１０が出力する焦点検出エリアの被写体光に基づく信号から焦点調節情報を演算し、この焦点調節情報に基づいてレンズ駆動モータ５７を駆動し、撮影レンズＬＥの焦点調節を行うとともに、液晶パネル５０により形成される焦点検出エリアマークの表示位置を制御する。撮影が指示されると、メインミラー５１が跳ね上がってサブミラー５２とともに撮影光路から退避し、シャッタ（不図示）が開閉される。被写体光束は、シャッタ開口を通過してフィルム５８に達し、フィルム５８の露光が行われる。なお、デジタルスチルカメラの場合は、フィルム５８の位置に撮像素子（例えばＣＣＤ）の受光面が位置する。
【０００９】
ファインダ画面の一例を図２に示す。図２では９つの焦点検出エリアＡＲａ〜ＡＲｉがそれぞれ窓型の焦点検出エリアマークＦｒにより設定されている。撮影者は例えば操作部材（不図示）の操作によりこれらエリアのいずれかを選択する。または、各エリアの焦点検出結果に基づいてカメラが自動的にいずれかのエリアを選択することもできる。そして、選択されたエリアの焦点調節状態に基づいて焦点調節（フォーカシング）が行われる。
【００１０】
図３は図１の要部拡大図である。メインミラー５１は、その側面に突設された回動軸５１ａを支点にしてミラーボックス２０の側板２１に回動可能に取り付けられている。焦点検出モジュール１０はミラーボックス２０の底板２２の下方に配置され、後述の如くその位置調整が可能となるように底板２２に取り付けられる。
【００１１】
底板２２には略矩形状の開口部２２ａが設けられ、サブミラー５２にて反射された光束は、開口部２２ａを介して焦点検出モジュール１０に入射される。この入射光は図示しない赤外光カットフィルタ，視野マスク，コンデンサレンズ等を介して反射ミラー１１にて屈折され、図示しない絞りマスク，セパレータレンズ等を介してＣＣＤなどのイメージセンサ１２に達する。焦点検出モジュール１０は、イメージセンサ１２により検知された信号を焦点検出に用いられるために出力する。
【００１２】
この場合、焦点検出モジュール１０が底板２２に精度よく取り付けられていれば、図４（ａ）に示すようにファインダ画面Ｆに表示される焦点検出エリアマークＦｒと焦点検出モジュール１０が焦点調節情報を取得する焦点検出エリアＡＲ（斜線部）の位置が一致する。しかし、各部品には寸法誤差があるため、この寸法誤差や組立時の誤差が積み重なって焦点検出モジュール１０の取付には一定の範囲でばらつきが生じる。そのため、焦点検出モジュール１０に入射する光束の光軸回りの位置、すなわちロール方向の取付位置がずれることがある。その結果、図４（ｂ）に示すようにファインダ画面上の焦点検出エリアＡＲの位置が回転し、焦点検出エリアマークＦｒに対し焦点検出エリアＡＲの位置ずれて、撮影者が意図した通りの撮影を行うことができない。
【００１３】
とくに本実施の形態のように焦点検出エリアＡＲをファインダ画面Ｆの中央だけでなく広範囲にわたって設けるものにあっては、図示のように端部における焦点検出エリアＡＲのずれ量（Δａ）が大きくなりやすい。また、例えば焦点検出モジュール１０をデジタルスチルカメラに設ける場合、デジタルスチルカメラの撮像素子の大きさは一般的にはフィルムに比べて小さいため、焦点検出エリアＡＲがファインダ画面Ｆの端部に及び、同様にずれ量が大きくなる。そこで、本実施の形態では、以下のように焦点検出モジュール１０をロール方向に調整可能に取り付ける。
【００１４】
図５は、第１の実施の形態に係る焦点検出モジュールの取付構造を示す分解斜視図であり、カメラを天地逆にした状態で斜め上方から見た図である。なお、図では撮影レンズＬＥ（図１）の光軸方向をＸ軸、フィルム５８の給送方向をＹ軸、カメラの垂直方向をＺ軸とし、これらＸ軸，Ｙ軸，Ｚ軸もしくはこれと平行な軸回りの回転方向をそれぞれヨー方向，ピッチ方向，ロール方向とする。Ｚ軸は焦点検出モジュール１０に入射する光束の方向に一致する。
【００１５】
底板２２の底面にはボス３１〜３３が設けられている。ボス３１，３３は開口部２２ａを挟んでＹ軸方向に対峙して設けられ、ボス３１，３２はＸ軸方向に並設されている。焦点検出モジュール１０の縁部にはボス３１，３２に対応してフランジ１３が設けられるとともに、ボス３３に対応してフランジ１４が設けられている。フランジ１３には孔１５，１６が開口され、フランジ１４には孔１７が開口されている。
【００１６】
ボス３２，３３にはねじ孔３２ａ，３３ａが設けられ、ボス３２，３３の端面とフランジ１３，１４の間にそれぞれコイルばね４２，４３が介挿されている。ねじ孔３２ａにはフランジ１３の孔１６およびコイルばね４２を貫通したビス４４が螺合され、ねじ孔３３ａにはフランジ１４の孔１７およびコイルばね４３を貫通したビス４５が螺合される。これにより焦点検出モジュール１０はばね４２，４３の付勢力に抗して底板２２の底面に対する位置が一定であるよう支持される。
【００１７】
一方、ボス３１の底面には長手方向にわたって略円柱状のピン部３４が設けられ、ピン部３４の周囲にコイルばね４１が被せられている。ピン部３４はフランジ１３の孔１５および略円筒形状の偏芯カム３６を貫通し、ピン部３４の先端部周面の溝３４ａに抜け止め用のＥ型止め輪３５が挿入される。
【００１８】
図６は、偏芯カム３６の取付状態を示す断面図である。偏芯カム３６はその内周面の中心が外周面に対して偏芯したものであり、ピン部３４の中心を回転軸として、ピン部３４の周面に当接しつつ回転可能に設けられる。偏芯カム３６の外周面のフランジ側角部はテーパ状に形成され（テーパ部３６ａ）、このテーパ部３６ａがばね４１の付勢力により孔１５の縁部（面取り部）に当接している。偏芯カム３６の外周面には突起部３６ｂが設けられ、図示しない工具により突起部３６ｂに回転力を付与すると、テーパ部３６ａと孔１５の縁部とが当接したまま偏芯カム３６は回転する。
【００１９】
図７は図５の矢視VII図（Ｚ軸方向から見た図）である。フランジ１４の孔１７はＹ軸方向に長い長孔であり、焦点検出モジュール１０はＹ軸方向に移動可能となっている。図示のように例えば偏芯カム３６の回転軸（ピン部３４の中心位置）が孔１５の中心よりもＹ軸方向にずれた状態で、偏芯カム３６を図示ａ方向またはｂ方向に回転させると、焦点検出モジュール１０はビス４５を支点にして図示Ａ方向またはＢ方向に回転するとともに、長孔１７に沿ってＹ軸方向にも移動する。なお、この場合の焦点検出モジュール１０の動きを拘束しないように孔１６はルーズに形成されている。
【００２０】
本実施の形態の取付構造による焦点検出モジュールの取付位置の調整は以下のように行う。
まず、焦点検出モジュール１０のフランジ１３，１４と底板２２のボス３１〜３３の間にコイルばね４１〜４３を介挿する。この状態でビス４４，４５をねじ孔３２ａ，３３ａに螺合するとともに、ピン部３４に偏芯カム３６を挿入し、止め輪３５で偏芯カム３６のＺ軸方向位置を規制する。これにより焦点検出モジュール１０は、底板２２から離間する方向へばね４１〜４３の付勢力が作用した状態で底板２２に取り付けられる。
【００２１】
焦点検出モジュール１０（イメージセンサ１２の受光面）のヨー方向およびピッチ方向の傾きを調整する場合には、換言すると焦点検出モジュール１０をＸ軸，Ｙ軸まわりに回動調整する場合には、ビス４４，４５のねじ込み量を調整する。これにより焦点検出モジュール１０は底板２２に対してヨー方向およびピッチ方向に揺動し、ヨー調整およびピッチ調整を行うことができ、焦点検出モジュール１０に入射する光束の入射角度を調整することができる。
【００２２】
焦点検出モジュール１０のロール方向の位置、すなわち焦点検出モジュール１０に入射する光軸と略平行な軸を回転軸として、焦点検出モジュール１０を光軸まわりに回動調整する場合には、上述したように偏芯カム３６を回転させる。これにより焦点検出モジュール１０は底板２２に対してロール方向に回転し、図４（ｂ）に示した焦点検出エリアＡＲのずれを図８（ａ）に示すように修正することができる。以上のようにヨー，ピッチ，ロール各方向の姿勢を調整した段階で、偏芯カム３６とピン部３４にかけて接着剤を塗布、硬化させることにより、調整した状態を保つとよい。
【００２３】
この場合、焦点検出モジュール１０はその回転移動に伴い水平方向（図７のＹ軸方向）にも移動するため、図８（ａ）に示すように焦点検出エリアマークＦｒに対し焦点検出エリアの位置が上下もしくは左右に平行にずれることがある。この修正はＣＰＵ５６が焦点検出エリアマークＦｒの表示位置を制御することにより行う。すなわち、例えば検査段階で検査装置等を用いてファインダ画面上における焦点検出エリアＡＲの相対位置を特定し、ＣＰＵ５６がこの特定された焦点検出エリアＡＲに焦点検出エリアマークＦｒを表示するように液晶パネル５０の表示を制御する。これにより焦点検出エリアＡＲに合わせて図８（ｂ）の点線から実線へと焦点検出エリアマークＦｒがシフトし、焦点検出エリアＡＲと焦点検出エリアマークＦｒを一致させることができる。検査装置として、例えば一本の白線からなるパターンを徐々に左右に動かしながらイメージセンサ１２の出力波形の変化を検出し、これにより焦点検出エリアＡＲの相対位置を特定すればよい。
【００２４】
なお、図４（ｂ）のように焦点検出エリアＡＲの位置がずれていた場合に、焦点検出モジュール１０のロール調整を行わずに、焦点検出エリアＡＲの位置に合わせて焦点検出エリアマークＦｒの表示位置のみをずらすと次のような問題がある。すなわち、この場合には図９に示すように上下の焦点検出エリアマークＦｒがずれて表示されるため、撮影者にとって違和感が大きく扱いにくい。この点、本実施の形態のように焦点検出モジュール１０のロール調整をした後、焦点検出エリアマークＦｒの表示位置をずらすと、焦点検出エリアマークＦｒの上下の表示のずれを防止することができる。
【００２５】
第１の実施の形態に係る焦点検出モジュールの取付構造によれば以下のような作用効果を奏することができる。
（１）偏芯カム３６を介し、焦点検出モジュール１０を底板２２に対しロール方向に回転可能に取り付けるようにしたので、焦点検出モジュール１０のロール調整が可能となる。これによりファインダ画面上の焦点検出エリアマークＦｒの表示位置と焦点検出モジュール１０が焦点調節情報を取得する焦点検出エリアＡＲの位置を一致させることができる。
（２）偏芯カム３６の回転により焦点検出モジュール１０を回転させるので、シンプルな構成によりロール調整を容易に行うことができる。
（３）焦点検出モジュール１０をばね４１〜４３を介して底板２２に取り付け、ばね４２，４３の付勢力に抗したビス４４，４５のねじ込みにより焦点検出モジュール１０を揺動させるので、焦点検出モジュール１０のヨー方向およびピッチ方向の調整も可能である。
（４）ＣＰＵ５６からの信号により、焦点検出エリアＡＲに合わせて焦点検出エリアマークＦｒの表示位置を制御するので、ファインダ画面上で焦点検出エリアＡＲが平行にずれた場合でも焦点検出エリアＡＲと焦点検出エリアマークＦｒの表示位置を一致させることができる。
【００２６】
−第２の実施の形態−
図１０を参照して本発明による焦点検出モジュールの取付構造の第２の実施の形態について説明する。
第２の実施の形態が第１の実施の形態と異なるのは、焦点検出モジュール１０のフランジ１３，１４に開口される孔の形状である。図１０は、第２の実施の形態に係る焦点検出モジュール１０の構成を示す図である。なお、図７と同一の箇所には同一の符号を付し、以下では第１の実施の形態との相違点を主に説明する。
【００２７】
図１０に示すようにフランジ１４には丸孔１８が開口され、フランジ１３にはＹ軸方向に切り欠き１９が設けられている。丸孔１８の径はビス４５の径とほぼ程度である。これにより偏芯カム３６を図示ａ方向またはｂ方向に回転させると、焦点検出モジュール１０はビス４５を中心に図示Ａ方向またはＢ方向に回転する。なお、切り欠き１９の代わりに長孔としてもよい。
【００２８】
この場合、ビス４５と丸孔１８の隙間が小さいため、焦点検出モジュール１０のＸ軸方向およびＹ軸方向への平行移動は禁止され、焦点検出モジュール１０の回転中心は偏芯カム３６の回転に拘わらず一定である。このため、図８（ａ）に示したような焦点検出エリアＡＲの上下左右方向へのずれ量は比較的小さく、焦点検出エリアマークＦｒをずらす必要性が低い。したがって、焦点検出エリアマークＦｒの表示位置を一定とした簡易な構成を採用する場合には、第１の実施の形態より適している。
【００２９】
−第３の実施の形態−
図１１を参照して本発明による焦点検出モジュールの取付構造の第３の実施の形態について説明する。
第３の実施の形態が第１の実施の形態と異なるのは偏芯カム３６の取付部の形状である。すなわち、第１の実施の形態ではボス３１にピン部３４を設け、ピン部３４と別体に偏芯カム３６を設けたが、第３の実施の形態では以下のようにビスと一体に偏芯カムを設ける。図１１は、第３の実施の形態に係る焦点検出モジュールの取付構造の要部を示す断面図である。なお、図６と同一の箇所には同一の符号を付し、以下ではその相違点を主に説明する。
【００３０】
図１１に示すようにボス３１にはねじ孔３１ａが設けられ、ねじ孔３１ａにはフランジ１３の孔１５およびコイルばね４１を貫通したビス４６が螺合されている。ビス４６の頭部には偏芯カム３６が一体に設けられ、ビス４６の回転により偏芯カム３６が回転する。なお、ビス４６の頭部には工具（マイナスドライバ）を挿入するための溝４６ａが設けられており、偏芯カム３６に突起部３６ｂ（図６）は不要である。
【００３１】
第３の実施の形態では、ビス４６と一体に偏芯カム３６を設けているので、偏芯カム３６の取付が容易である。偏芯カム３６を回転させる場合にはビス４６をねじ込むため、焦点検出モジュール１０の傾き（ヨー方向およびピッチ方向の位置）が変化するが、これはビス４４，４５のねじ込みにより修正することができる。なお、焦点検出モジュール１０のＺ軸方向高さが変化した場合には、焦点検出モジュール１０の出力に基づき、焦点検出するＣＰＵ５６での処理の中で、この高さの変化を補正すればよい。
【００３２】
上記実施の形態では、ボス３１のピン部３４に設けた偏芯カム３６あるいはビス４６と一体に設けた偏芯カム３６の回転により焦点検出モジュール１０をロール調整するようにしたが、第２調整手段はこれに限らない。例えば、図１２に示すようにフランジ１３の孔１５の周囲に座グリ１３ａを設け、座グリ１３ａに偏芯カム３６を挿入するようにしてもよい。この場合、偏芯カム３６にテーパ部３６ａ（図６）を設ける必要はない。また、偏芯カム以外の第２調整手段を設けてもよい。
【００３３】
偏芯カム３６の内周面を底板２２（ピン部３４）に接し、外周面を焦点検出モジュール１０（フランジ１３）に当接するようにしたが、これとは逆に内周面を焦点検出モジュール１０に、外周面を底板２２に当接するようにしてもよい。したがって、焦点検出モジュール１０を取り付けるためのフランジ１３や底板２２の形状は上述したものに限らない。焦点検出モジュール１０をミラーボックス２０の底板２２に取り付けたが、他の部品を取付部としてもよい。偏芯回転部材としての偏芯カム３６の形状は上述したものに限らない。
【００３４】
受光素子としてのイメージセンサ１２はＣＭＯＳセンサにより構成してもよい。コイルばね４２，４３の付勢力に抗してビス４４，４５のねじ込み量を調整してヨー調整およびピッチ調整を行うようにしたが、第１調整手段はこれに限らない。コイルばね４２，４３の代わりに板ばね等の他の弾性部材を付勢手段として用いることもできる。
【００３５】
光学系による被写界像に焦点検出エリアマークＦｒをスーパーインポーズ表示するようにしたが、表示手段により表示される焦点検出エリアマークＦｒの表示形態はこれに限らない。ロール調整後の焦点検出エリアＡＲに焦点検出エリアマークＦｒが一致するようにＣＰＵ５６からの信号によって焦点検出エリアマークＦｒの表示位置を制御したが、表示制御手段の構成はこれに限らない。また、ファインダーは光学式でなく電子ファインダーであってもよい。さらに、カメラボディ背面などに設けられたモニターがファインダーとして機能するものでもよい。さらにまた、ファインダーではなく、モニターに撮影後の画像と焦点検出エリアマークを重畳して表示するカメラにも適用できる。この場合、モニター上の画面から撮影者が焦点検出エリアを意図した通りの被写体に合わせられたかどうかを知ろうとする際に、実際の焦点検出エリアと焦点検出エリアマークとがずれていると正確な推定ができない。そこで、推定の正確さを増すという効果がある。
【００３６】
上記実施の形態に係る焦点検出モジュールの取付構造はカメラに適用したが、双眼鏡や測量機等、焦点検出モジュールを有する他の光学機器にも同様に適用できる。すなわち、本発明の特徴、機能を実現できる限り、本発明は実施の形態の焦点検出モジュールの取付構造に限定されない。
【図面の簡単な説明】
【００３７】
【図１】本発明が適用される一眼レフカメラの概略構成を示す断面図。
【図２】ファインダ画面の一例を示す図。
【図３】図１の要部拡大図。
【図４】（ａ）は焦点検出エリアマークと焦点検出エリアが一致した状態を示す図であり、（ｂ）は両者がずれた状態を示す図。
【図５】第１の実施の形態に係る焦点検出モジュールの取付構造を示す分解斜視図。
【図６】第１の実施の形態に係る焦点検出モジュールの取付構造の要部を示す断面図。
【図７】図５の矢視VII図。
【図８】（ａ）はロール調整後の焦点検出エリアマークと焦点検出エリアの位置関係の一例を示す図であり、（ｂ）は焦点検出エリアマークをずらした状態を示す図。
【図９】ロール調整を行わない場合の問題点の１つを示す図。
【図１０】第２の実施の形態に係る焦点検出モジュールの構成を示す図。
【図１１】第３の実施の形態に係る焦点検出モジュールの取付構造の要部を示す断面図。
【図１２】本発明による焦点検出モジュールの取付構造の変形例を示す図。
【符号の説明】
【００３８】
１０  焦点検出モジュール
１２  イメージセンサ
１３，１４  フランジ
２２  底板
３１〜３３  ボス
３４  ピン部
３６  偏芯カム
４１〜４３  コイルばね
４４〜４６  ビス
５０  表示パネル
５６  ＣＰＵ
【図１】
2006126441.tif 000003
【図２】
2006126441.tif 000004
【図３】
2006126441.tif 000005
【図４】
2006126441.tif 000006
【図５】
2006126441.tif 000007
【図６】
2006126441.tif 000008
【図７】
2006126441.tif 000009
【図８】
2006126441.tif 000010
【図９】
2006126441.tif 000011
【図１０】
2006126441.tif 000012
【図１１】
2006126441.tif 000013
【図１２】
2006126441.tif 000014